(57)【要約】【課題】特に受け手側の嗜好に大きな差があると考えられる料理に関する情報を、受け手側の属性を考慮して適切な内容を選択して提示する。【解決手段】出力対象者の国籍を入力する操作部35と、入力された国籍に応じた料理情報をコンテンツメモリ20から取得し、投影系21〜25で再生させるＣＰＵ32とを備える。【選択図】図２
2017058872.tif 000002
【特許請求の範囲】
【請求項１】
出力対象者の特徴情報を取得する特徴取得手段と、
上記特徴取得手段で得た特徴情報に応じた料理情報を取得する料理取得手段と、
上記料理取得手段で得た料理情報を上記出力対象者に対して出力する出力手段と、
を備えることを特徴とする出力装置。
【請求項２】
上記特徴情報は、上記出力対象者の国籍、民族、地域、大州、宗教、人種、年齢層及び性別の少なくとも１つであることを特徴とする請求項１記載の出力装置。
【請求項３】
上記料理取得手段は、複数の料理情報を上記特徴取得手段で得た特徴情報に応じた優先順位で並び替え、
上記出力手段は、上記料理取得手段で並び替えた複数の料理情報を順次出力する、
ことを特徴とする請求項１または２記載の出力装置。
【請求項４】
上記特徴取得手段は、上記出力対象者が提示する書類を画像認識して特徴情報を取得することを特徴とする請求項１乃至３いずれか記載の出力装置。
【請求項５】
上記出力手段で出力した料理情報を選択する選択手段と、
上記選択手段で選択した結果を上記特徴取得手段で得た特徴情報と関連付けて記憶する記憶手段と、をさらに備え、
上記料理取得手段は、特徴取得手段で得た特徴情報に応じて上記記憶手段を参照し、過去により多く選択された料理情報を取得する
ことを特徴とする請求項１乃至４いずれか記載の出力装置。
【請求項６】
出力対象者の特徴情報を取得する特徴取得工程と、
上記特徴取得工程で得た特徴情報に応じた料理情報を取得する料理取得工程と、
上記料理取得工程で得た料理情報を上記出力対象者に対して出力する出力工程と、
を有することを特徴とする出力方法。
【請求項７】
コンピュータが実行するプログラムであって、上記コンピュータを、
出力対象者の特徴情報を取得する特徴取得手段、
上記特徴取得手段で得た特徴情報に応じた料理情報を取得する料理取得手段、及び
上記料理取得手段で得た料理情報を上記出力対象者に対して出力する出力手段、
として機能させることを特徴とするプログラム。
【発明の詳細な説明】
【技術分野】
【０００１】
本発明は、出力装置、出力方法及びプログラムに関する。
【背景技術】
【０００２】
従来、閲覧者に対して印象が高めることができる映像出力装置を提供するべく、例えば人型の形状をしたスクリーンに向けて映像コンテンツを出力するようにした技術があった。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術は、映像を投影するスクリーンの形状を矩形ではなく人型等にし、対応する形状の映像を投影することで閲覧者に対する印象を高めるようにしたものである。
【０００５】
このように一方的に映像を出力するのみであり、その投影する映像のジャンルや、投影された映像を閲覧する閲覧者の側の属性、例えば年齢層や性別等に合わせることは考えられていない。
【０００６】
本発明は上記のような実情に鑑みてなされたもので、その目的とするところは、特に受け手側の嗜好に大きな差があると考えられる料理に関する情報を、受け手側の属性を考慮して適切な内容を選択して提示することが可能な出力装置、出力方法及びプログラムを提供することにある。
【課題を解決するための手段】
【０００７】
本発明の一態様は、出力対象者の特徴情報を取得する特徴取得手段と、上記特徴取得手段で得た特徴情報に応じた料理情報を取得する料理取得手段と、上記料理取得手段で得た料理情報を上記出力対象者に対して出力する出力手段と、を備えることを特徴とする。
【発明の効果】
【０００８】
本発明によれば、特に受け手側の嗜好に大きな差があると考えられる料理に関する情報を、受け手側の属性を考慮して適切な内容を選択して提示することが可能となる。
【図面の簡単な説明】
【０００９】
【図１】本発明の一実施形態に係るサイネージ装置単体の外観構成を示す斜視図。
【図２】同実施形態に係るサイネージ装置単体の主として電子回路の機能構成を示すブロック図。
【図３】同実施形態に係る第１の動作例での各種料理に関するコンテンツデータの再生に関する処理内容を示すフローチャート。
【図４】同実施形態に係る第１の動作例で元々の各種料理に関するコンテンツの再生順序を例示する図。
【図５】同実施形態に係る第１の動作例でユーザの国籍が「中国」であった場合の並べ替えたコンテンツの順序を例示する図。
【図６】同実施形態に係る第１の動作例ででユーザの国籍が「イタリア」であった場合の並べ替えたコンテンツの順序を例示する図。
【図７】同実施形態に係る第２の動作例での各種料理に関するコンテンツデータの再生に関する処理内容を示すフローチャート。
【図８】同実施形態に係る第２の動作例でコンテンツメモリ２０に記憶される蓄積データベースの内容を例示する図。
【発明を実施するための形態】
【００１０】
以下、本発明を例えば大規模なフードコートやレストラン街に案内装置として設置されるサイネージ装置に適用した場合の一実施形態について、図面を参照して説明する。
【００１１】
（構成）  
図１は、同サイネージ装置１０の外観構成を示す斜視図である。サイネージ装置１０は、プロジェクタ技術を用いた電子マネキンであり、装置筐体１１の上面前端側に、交換可能な矩形状のサイネージボードＳＢが立設される。
【００１２】
このサイネージボードＳＢは、装置筐体１１の上面に設けられた、図示しないリアプロジェクション方式の投影レンズから出射された光像が背面側から投影されることで画像を表示する。
【００１３】
このサイネージボードＳＢの下端部中央寄りには複数、ここでは４個の操作ボタンＢ１〜Ｂ４を合わせて投影しており、当該ボタン中のいずれかを閲覧者がタッチ操作した場合、ボード取付け基部に配列された、それぞれが指向性を有するライン状の赤外線センサアレイ１２により当該操作位置が検知可能となっている。
【００１４】
さらに装置筐体１１の前面には、このサイネージ装置１０の前面側を撮影するための広角光学系の撮像部ＩＭ、マイクロホンＭＣ、及び人感センサＰＥとを備える。
【００１５】
次に図２により上記サイネージ装置１０単体の主として電子回路の機能構成を説明する。コンテンツメモリ２０には予め各種料理に関するコンテンツデータが記憶される。これらコンテンツデータはそれぞれ、画像データ及び音データ等から構成される。コンテンツデータ中の画像データは、後述するＣＰＵ３２により読出され、システムバスＢＳを介して投影画像駆動部２１に送られる。
【００１６】
上記投影画像駆動部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００１７】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００１８】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。光源部２３が有するＬＥＤは、広義でのＬＥＤとして、ＬＤ（半導体レーザ）や有機ＥＬ素子を含むものとしても良い。
【００１９】
また、ＬＥＤから出射された光を蛍光体に照射することで励起される、元の光とは波長が異なる原色光を用いるものとしても良い。この光源部２３からの原色光が、ミラー２４で全反射して上記マイクロミラー素子２２に照射される。
【００２０】
そして、マイクロミラー素子２２での反射光で光像が形成され、形成された光像が投影レンズ部２５を介して上記サイネージボードＳＢの背面に投射される。
【００２１】
上記撮像部ＩＭは、サイネージ装置１０の正面方向を向いた広角系の撮影レンズ部２７、及びこの撮影レンズ部２７の焦点位置に配設された固体撮像素子であるＣＭＯＳイメージセンサ２８を含む。
【００２２】
ＣＭＯＳイメージセンサ２８で得られる画像信号は、Ａ／Ｄ変換器２９でデジタル化された後、撮影画像処理部３０に送られる。
【００２３】
この撮影画像処理部３０は、上記ＣＭＯＳイメージセンサ２８を走査駆動して撮影動作を実行させ、撮影により得た画像データをデータファイル化して、後述するＣＰＵ３２に送出する。
【００２４】
また撮影画像処理部３０は、ＣＰＵ３２の制御の下に、撮影により得た画像データが示す画像中から人物の顔認識処理を行ない、顔部分の画像領域を抽出すると共に、当該人物の属性として人種、性別、年齢層等を認識する。
【００２５】
さらに撮影画像処理部３０は、ＣＰＵ３２の制御の下に、撮影により得た画像データが示す画像中から国籍名の文字認識処理を行なう。
【００２６】
上記各回路の動作すべてをＣＰＵ３２が制御する。このＣＰＵ３２は、メインメモリ３３及びプログラムメモリ３４と直接接続される。メインメモリ３３は、例えばＳＲＡＭで構成され、ＣＰＵ３２のワークメモリとして機能する。プログラムメモリ３４は、電気的書換可能な不揮発性メモリ、例えばフラッシュＲＯＭで構成され、ＣＰＵ３２が実行する動作プログラムや各種定型データ等を記憶する。
【００２７】
ＣＰＵ３２は、上記プログラムメモリ３４に記憶されている動作プログラムや定型データ等を読出し、メインメモリ３３に展開して記憶させた上で当該プログラムを実行することにより、このサイネージ装置１０を統括して制御する。
【００２８】
上記ＣＰＵ３２は、操作部３５からの操作信号に応じて各種投影動作を実行する。この操作部３５は、サイネージ装置１０の本体に備える、電源キーを含むいくつかの操作キーのキー操作信号、または上記サイネージボードＳＢの一部に仮想的に投影する操作ボタンＢ１〜Ｂ４への操作を検出する、上記赤外線センサアレイ１２からの検出信号を受付け、受付けた操作に応じた信号を上記ＣＰＵ３２へ送出する。
【００２９】
上記ＣＰＵ３２はさらに、上記システムバスＢＳを介して音処理部３６、無線ＬＡＮインタフェース（Ｉ／Ｆ）３８、有線インタフェース（Ｉ／Ｆ）４０、上記人感センサＰＥと接続される。  
音処理部３６は、ＰＣＭ音源等の音源回路を備え、投影動作時に上記コンテンツメモリ２０から読出されるコンテンツデータ中の音データをアナログ化し、スピーカ部３７を駆動して放音させ、あるいは必要によりビープ音等を発生させる。
【００３０】
また音処理部３６は、上記マイクロホンＭＣから入力される音信号をデジタル化し、必要に応じて音声認識処理を行なって、音声入力された文言をその発音に応じたテキストデータに変換する。
【００３１】
無線ＬＡＮインタフェース３８は、無線ＬＡＮアンテナ３９を介して図示しない最寄りの無線ＬＡＮルータと接続し、データの送受を行なう。
【００３２】
有線インタフェース４０は、例えば隣接する他のサイネージ装置１０と有線接続することによりデータの送受を行なう。
【００３３】
人感センサＰＥは、例えば焦電型赤外線センサと受光レンズ光学系で構成され、上記撮像部ＩＭでの撮影範囲内に人物が存在するか否かを検出する。
【００３４】
（第１の動作例）  
上記実施形態の第１の動作例について説明する。  
図３は、サイネージ装置１０の電源が投入されてからＣＰＵ３２が実行する、コンテンツメモリ２０に記憶していた各種料理に関するコンテンツデータの再生に関する処理内容を示すフローチャートである。
【００３５】
動作当初にＣＰＵ３２は、コンテンツメモリ２０から操作ボタンＢ１〜Ｂ４からなる国籍指定部の画像を含むウェルカム画像のコンテンツをコンテンツメモリ２０から読出してサイネージボードＳＢ上に投影させた上で（ステップＳ１０１）、このサイネージ装置１０の利用者（以下「ユーザ」と称する）による当該操作ボタンＢ１〜Ｂ４の操作から、国籍の指定があるか否かを判断する（ステップＳ１０２）。
【００３６】
ここで操作ボタンＢ１〜Ｂ４の操作による国籍の指定がないと判断した場合（ステップＳ１０２のＮｏ）、ＣＰＵ３２は上記ステップＳ１０１からの処理に戻る。
【００３７】
こうしてステップＳ１０１，Ｓ１０２の処理を繰返し実行し、国籍指定部の画像を含むウェルカムコンテンツをサイネージボードＳＢ上で再生させながら、当該国籍指定部がユーザにより操作されるのを待機する。
【００３８】
上記ステップＳ１０２において、操作ボタンＢ１〜Ｂ４のいずれかの操作により国籍の指定があったと判断した場合（ステップＳ１０２のＹｅｓ）、ＣＰＵ３２はその時点で操作ボタンＢ１〜Ｂ４で投影している国籍名と操作部３５の赤外線センサアレイ１２からの検出結果に基づく操作位置とによって指定された国籍名の情報を取得する（ステップＳ１０３）。
【００３９】
なお上記国籍名の指定に関しては、操作ボタンＢ１〜Ｂ４での投影内容に応じた操作に限らず、上記マイクロホンＭＣによりユーザ自身が国籍名を音声で入力して、音声認識処理により国籍名を示す情報を認識しても良い。
【００４０】
さらには、ユーザによりパスポートあるいは在留カードの国籍が記載された部分を上記撮像部ＩＭに正対して提示してもらい、画像処理で国籍名を示す文字部分を認識するようにしても良い。
【００４１】
しかるに上記ステップＳ１０３で国籍名の情報を取得すると、ＣＰＵ３２はコンテンツメモリ２０に記憶されている各種料理に関するコンテンツデータから、同じ国籍のコンテンツがあるかどうかを検索する（ステップＳ１０４）。
【００４２】
図４は、コンテンツメモリ２０に記憶されている、元々のコンテンツの再生順序を例示する図である。同図では各種料理の広告として「広告Ａ」から「広告Ｉ」までの十種類の料理のコンテンツデータが記憶されているものとする。例えば「広告Ａ」では国籍「日本料理」と属する大州「アジア」の情報が関連付けて記憶されている。
【００４３】
加えて、「広告Ａ」〜「広告Ｃ」が大州「アジア」、「広告Ｄ」〜「広告Ｇ」が大州「ヨーロッパ」、「広告Ｈ」〜「広告Ｉ」が大州「南米」、というように、元々のコンテンツ配列では大州毎に各コンテンツデータの順序が纏められている。
【００４４】
上記ステップＳ１０４での国籍に基づいたコンテンツデータの検索を終えると、次にＣＰＵ３２は、コンテンツメモリ２０に記憶されている各種料理に関するコンテンツデータから、同じ大州のコンテンツがあるかどうかを検索する（ステップＳ１０５）。
【００４５】
これらステップＳ１０４，Ｓ１０５の検索結果に基づき、ＣＰＵ３２はコンテンツメモリ２０に記憶されている各種料理に関するコンテンツデータを、「同じ国籍」＞「同じ大州」＞「その他」の順序となるように再生の優先順位を並び替える（ステップＳ１０６）。
【００４６】
図５は、上記図４で示した元々のコンテンツの再生順序に対し、サイネージ装置１０を操作したユーザの国籍が「中国」であった場合の、検索後に並べ替えたコンテンツの順序を例示するものである。
【００４７】
ここでは「広告Ｃ」の国籍「中国料理」（大州「アジア」）のコンテンツデータを先頭として、続く（大州「アジア」）に該当する「広告Ａ」の国籍「日本料理」及び「広告Ｂ」の国籍「韓国料理」が位置し、以後にその他として「広告Ｄ」〜「広告Ｇ」の大州「ヨーロッパ」、「広告Ｈ」，「広告Ｉ」の大州「南米」の各コンテンツデータが配置された順序となる。
【００４８】
また図６は、上記図４で示した元々のコンテンツの再生順序に対し、サイネージ装置１０を操作したユーザの国籍が「イタリア」であった場合の、検索後に並べ替えたコンテンツの順序を例示するものである。
【００４９】
ここでは「広告Ｇ」の国籍「イタリア」（大州「ヨーロッパ」）のコンテンツデータを先頭として、続く（大州「ヨーロッパ」）に該当する「広告Ｄ」の国籍「ドイツ料理」、「広告Ｅ」の国籍「ヨーロッパ料理」、「広告Ｅ」の国籍「フランス料理」及び「広告Ｆ」の国籍「スペイン料理」が位置し、以後にその他として「広告Ａ」〜「広告Ｃ」の大州「アジア」、「広告Ｈ」，「広告Ｉ」の大州「南米」の各コンテンツデータが配置された順序となる。
【００５０】
上記のように国籍及び大州に基づいた優先順位での並び替えを行なったコンテンツデータを、その先頭に位置するものから順次コンテンツメモリ２０より読出し、サイネージボードＳＢで再生させた上で（ステップＳ１０６）、全コンテンツデータの再生が終了したか否かを判断する（ステップＳ１０７）。
【００５１】
ここでまだ全コンテンツデータの再生が終了していないと判断した場合（ステップＳ１０７のＮｏ）、ＣＰＵ３２は上記ステップＳ１０６からの処理に戻る。
【００５２】
こうしてステップＳ１０６，Ｓ１０７の処理を繰返し実行し、全コンテンツデータの再生を続行する。そして、全コンテンツデータの再生が終了したと判断した時点で（ステップＳ１０７のＹｅｓ）、ＣＰＵ３２は一連のコンテンツ再生を終了したものとして、次の再生に備えるべく、上記ステップＳ１０１からの処理に戻る。
【００５３】
（第２の動作例）  
上記実施形態の第２の動作例について説明する。  
なお本動作例にあっては、コンテンツメモリ２０がウェルカム画像のコンテンツデータや各種料理のコンテンツデータに加えて、国籍毎の利用者による料理の閲覧履歴をデータベース化した蓄積データベースを記憶しているものとする。
【００５４】
図７は、サイネージ装置１０の電源が投入されてからＣＰＵ３２が実行する、コンテンツメモリ２０に記憶していた各種料理に関するコンテンツデータの再生に関する処理内容を示すフローチャートである。
【００５５】
動作当初にＣＰＵ３２は、コンテンツメモリ２０から操作ボタンＢ１〜Ｂ４からなる国籍指定部の画像を含むウェルカム画像のコンテンツをコンテンツメモリ２０から読出してサイネージボードＳＢ上に投影させた上で（ステップＳ２０１）、このサイネージ装置１０の利用者（以下「ユーザ」と称する）による当該操作ボタンＢ１〜Ｂ４の操作から、国籍の指定があるか否かを判断する（ステップＳ２０２）。
【００５６】
ここで操作ボタンＢ１〜Ｂ４の操作による国籍の指定がないと判断した場合（ステップＳ２０２のＮｏ）、ＣＰＵ３２は上記ステップＳ２０１からの処理に戻る。
【００５７】
こうしてステップＳ２０１，Ｓ２０２の処理を繰返し実行し、国籍指定部の画像を含むウェルカムコンテンツをサイネージボードＳＢ上で再生させながら、当該国籍指定部がユーザにより操作されるのを待機する。
【００５８】
上記ステップＳ２０２において、操作ボタンＢ１〜Ｂ４のいずれかの操作により国籍の指定があったと判断した場合（ステップＳ２０２のＹｅｓ）、ＣＰＵ３２はその時点で操作ボタンＢ１〜Ｂ４で投影している国籍名と操作部３５の赤外線センサアレイ１２からの検出結果に基づく操作位置とによって指定された国籍名の情報を取得する（ステップＳ２０３）。
【００５９】
なお上記国籍名の指定に関しては、操作ボタンＢ１〜Ｂ４での投影内容に応じた操作に限らず、上記マイクロホンＭＣによりユーザ自身が国籍名を音声で入力して、音声認識処理により国籍名を示す情報を認識しても良い。
【００６０】
さらには、ユーザによりパスポートあるいは在留カードの国籍が記載された部分を上記撮像部ＩＭに正対して提示してもらい、画像処理で国籍名を示す文字部分を認識するようにしても良い。
【００６１】
しかるに上記ステップＳ２０３で国籍名の情報を取得すると、ＣＰＵ３２はコンテンツメモリ２０に記憶されている蓄積データベースから、同じ国籍のユーザに関するデータを抽出する（ステップＳ２０４）。
【００６２】
図８は、コンテンツメモリ２０に記憶される蓄積データベースの内容を例示する図である。同図では、国籍別に「日本人」「アメリカ人」「中国人」「イタリア人」「韓国人」‥‥毎の、各種料理の閲覧履歴を百分率及び閲覧人数と共に記憶している例を示している。
【００６３】
次にＣＰＵ３２は、抽出したデータを分析して、閲覧確率の高いコンテンツを抽出する（ステップＳ２０５）。
【００６４】
これらステップＳ２０４，Ｓ２０５の検索結果に基づき、ＣＰＵ３２はコンテンツメモリ２０に記憶されているユーザの国籍に対応した各種料理に関するコンテンツデータを、過去の閲覧確率が高い順序となるように並び替える（ステップＳ２０６）。
【００６５】
例えば、「アメリカ人」がサイネージ装置１０をユーザとして利用した場合、上記図８に示した閲覧履歴により過去のアメリカ人が利用した結果に基づいて「焼肉屋」「寿司屋」「フランス料理」「その他」となっており、この閲覧履歴に基づいて各種料理に関するコンテンツデータを並び替える。
【００６６】
また「イタリア人」がサイネージ装置１０をユーザとして利用した場合、上記図８に示した閲覧履歴により過去のイタリア人が利用した結果に基づいて「イタリア料理」「フランス料理」「インド料理」「その他」となっており、この閲覧履歴に基づいて各種料理に関するコンテンツデータを並び替える。
【００６７】
上記のようにユーザの国籍の閲覧履歴に基づいた順序で並び替えを行なったコンテンツデータを、その先頭に位置するものから順次コンテンツメモリ２０より読出し、サイネージボードＳＢで再生させる（ステップＳ２０７）。
【００６８】
なおこのようにユーザの国籍に合わせた各種料理のコンテンツデータを再生している間、上記画像中の上記操作ボタンＢ１〜Ｂ４においては、再生中のコンテンツに対して「前のコンテンツ先頭までスキップ」「巻き戻し」「早送り」「次のコンテンツ先頭までスキップ」を指示するための操作ボタンを記号「←←」「←」「→」「→→」により投影して、それらの操作をユーザに促すものとする。
【００６９】
こうしてコンテンツを再生しながら、ＣＰＵ３２は併せて全コンテンツデータの再生が終了したか否かを判断する（ステップＳ２０８）。
【００７０】
ここでまだ全コンテンツデータの再生が終了していないと判断した場合（ステップＳ２０８のＮｏ）、さらにＣＰＵ３２は上記操作ボタンＢ１〜Ｂ４の操作によりコンテンツを指定するための操作がなされたか否かを判断する（ステップＳ２０９）。
【００７１】
ここでコンテンツを指定するための操作がなされたと判断した場合（ステップＳ２０９のＹｅｓ）、ＣＰＵ３２はその操作内容に応じてコンテンツの再生位置を制御すると共に（ステップＳ２１０）、その操作に応じて履歴内容を更新設定し（ステップＳ２１１）、その後に上記ステップＳ２０７からの処理に戻る。
【００７２】
この場合、例えば予め設定された閾値より短い時間で次のコンテンツが選択された料理に関してはマイナスカウント、上記閾値より長い時間で閲覧されたコンテンツの料理に関してはプラスカウントを行なって、ユーザの閲覧結果を増減するものとしても良い。
【００７３】
上記ステップＳ２０９でコンテンツを指定するための操作がなされていないと判断した場合（ステップＳ２０９のＮｏ）、もしくは上記ステップＳ２１１で履歴内容を更新設定した後、ＣＰＵ３２は再び上記ステップＳ２０７からの処理に戻る。
【００７４】
こうしてステップＳ２０６〜Ｓ２０９の処理を繰返し実行し、全コンテンツデータの再生を続行しながら、全コンテンツデータの再生が終了するか、またはコンテンツを指定するための操作がなされるのを待機する。
【００７５】
そして、上記ステップＳ２０８において、全コンテンツデータの再生が終了したと判断した時点で（ステップＳ２０８のＹｅｓ）、ＣＰＵ３２は一連のコンテンツ再生を終了したものとして、次の再生に備えるべく、再び上記ステップＳ２０１からの処理に戻る。
【００７６】
なお上記図８では、蓄積データベースの内容として、国籍別毎の、各種料理の閲覧履歴を百分率及び閲覧人数と共に記憶した例について説明したが、本発明はこれに限らず、例えば国籍別毎に、料理の種類の選択回数と選択して閲覧していた時間とを統計的に蓄積して、ユーザの閲覧時に利用するものとしても良い。
【００７７】
（実施形態の効果）  
以上詳述した如く本実施形態によれば、特にユーザ側の嗜好に大きな差があると考えられる料理に関する情報を、ユーザ側の属性を考慮して適切な内容を選択して提示することが可能となる。
【００７８】
また上記実施形態では、ユーザの属性としての国籍に基づいて料理の情報を提供するものとしたが、本発明はこれに限らず、例えばユーザの民族、地域、大州、宗教、人種、年齢層及び性別のいずれか少なくとも１つに基づいて、適切と思われる料理の情報を提示するものとしても良い。
【００７９】
例えば上記実施形態とは利用形態が異なるが、居酒屋におけるメニュー表示として、イスラム教国家の出身者に対してハラールである食品のメニューを提示するなど、幅広い利用方法に適用可能となる。
【００８０】
また上記実施形態は、ユーザに適していると思われる上位の料理の情報のみならず、優先順位で並び替えを行なって、用意した料理の情報を一通り提示するものとしたので、嗜好が少数派となるユーザにも必要な料理の情報を提示できる。
【００８１】
なお上記実施形態においても多少説明したが、ユーザのパスポートや在留カードの国籍が記載された部分を上記撮像部ＩＭに正対して提示してもらい、画像処理で国籍名を示す文字部分等を認識することで、ユーザの属性を入力することにより、ユーザ側の手間を簡略化して、寄り手軽に利用していただく環境で実現できる。
【００８２】
また上記実施形態の第２の動作例において、ユーザの利用履歴を蓄積するデータベースを随時更新設定していくことで、常にユーザの嗜好がより高い確率で適合するようにデータベースの内容を進化させることが可能となる。
【００８３】
なお本実施形態は大規模なフードコートやレストラン街に案内装置として設置されるサイネージ装置に適用した場合について説明したものであるが、上述した如く本発明はその利用形態や装置のコンテンツ出力形態等を限定するものではない。
【００８４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８５】
以下に、本願出願の当初の特許請求の範囲に記載された発明を付記する。  
［請求項１］  
出力対象者の特徴情報を取得する特徴取得手段と、  
上記特徴取得手段で得た特徴情報に応じた料理情報を取得する料理取得手段と、  
上記料理取得手段で得た料理情報を上記出力対象者に対して出力する出力手段と、  
を備えることを特徴とする出力装置。  
［請求項２］  
上記特徴情報は、上記出力対象者の国籍、民族、地域、大州、宗教、人種、年齢層及び性別の少なくとも１つであることを特徴とする請求項１記載の出力装置。  
［請求項３］  
上記料理取得手段は、複数の料理情報を上記特徴取得手段で得た特徴情報に応じた優先順位で並び替え、  
上記出力手段は、上記料理取得手段で並び替えた複数の料理情報を順次出力する、  
ことを特徴とする請求項１または２記載の出力装置。  
［請求項４］  
上記特徴取得手段は、上記出力対象者が提示する書類を画像認識して特徴情報を取得することを特徴とする請求項１乃至３いずれか記載の出力装置。  
［請求項５］  
上記出力手段で出力した料理情報を選択する選択手段と、  
上記選択手段で選択した結果を上記特徴取得手段で得た特徴情報と関連付けて記憶する記憶手段と、をさらに備え、  
上記料理取得手段は、特徴取得手段で得た特徴情報に応じて上記記憶手段を参照し、過去により多く選択された料理情報を取得する  
ことを特徴とする請求項１乃至４いずれか記載の出力装置。  
［請求項６］  
出力対象者の特徴情報を取得する特徴取得工程と、  
上記特徴取得工程で得た特徴情報に応じた料理情報を取得する料理取得工程と、  
上記料理取得工程で得た料理情報を上記出力対象者に対して出力する出力工程と、  
を有することを特徴とする出力方法。  
［請求項７］  
コンピュータが実行するプログラムであって、上記コンピュータを、  
出力対象者の特徴情報を取得する特徴取得手段、  
上記特徴取得手段で得た特徴情報に応じた料理情報を取得する料理取得手段、及び  
上記料理取得手段で得た料理情報を上記出力対象者に対して出力する出力手段、  
として機能させることを特徴とするプログラム。
【符号の説明】
【００８６】
１０…サイネージ装置、
１１…装置筐体、
１２…赤外線センサアレイ、
２０…コンテンツメモリ、
２１…投影画像駆動部、
２２…マイクロミラー素子、
２３…光源部、
２４…ミラー、
２５…投影レンズ部、
２７…撮影レンズ部、
２８…ＣＭＯＳイメージセンサ、
２９…Ａ／Ｄ変換器、
３０…撮影画像処理部、
３２…ＣＰＵ、
３３…メインメモリ、
３４…プログラムメモリ、
３５…操作部、
３６…音処理部、
３７…スピーカ部、
３８…無線ＬＡＮインタフェース（Ｉ／Ｆ）、
３９…無線ＬＡＮアンテナ、
４０…有線インタフェース（Ｉ／Ｆ）、
Ｂ１〜Ｂ４…操作ボタン、
ＢＳ…システムバス、
ＩＭ…撮像部、
ＭＣ…マイクロホン、
ＰＥ…人感センサ、
ＳＢ…サイネージボード。
【図１】
2017058872.tif 000003
【図２】
2017058872.tif 000004
【図３】
2017058872.tif 000005
【図４】
2017058872.tif 000006
【図５】
2017058872.tif 000007
【図６】
2017058872.tif 000008
【図７】
2017058872.tif 000009
【図８】
2017058872.tif 000010